(57)【要約】【課題】高さ調整が可能であると共に、高い部分と低い部分の位置も変更可能な安眠枕を提案すること。【解決手段】安眠枕１は、高さが定まっている第１枕面４と、手動により、第１枕面４よりも高い位置、同一位置および低い位置に切り換え可能な第２枕面５とを備えている。仰向き姿勢および横向き姿勢に対応可能であり、仰向き用および横向き用の枕面の位置を左右逆にすることもでき、枕上面全体を同一高さにすることも可能である。よって、多様な姿勢および多様な好みに対応可能な安眠枕を実現できる。蕎麦の種子を充填した筒を並べた構造の枕カバー９、１１によって枕面４、５が覆われているので、頭を乗せた状態で安定感が良く、また、通気性も十分に確保でき蒸れ感を軽減できるなどの優れた安眠効果も得られる。【選択図】図１
2009125256.tif 000002
【特許請求の範囲】
【請求項１】
枕本体と、
この枕本体の上面に形成した一定高さの第１枕面と、
枕本体の上面に形成した可変高さの第２枕面と、
この第２枕面の高さを変更するために枕本体に内蔵されている手動式高さ調整機構と、
枕本体の側面に取り付けられている高さ調整用の手動操作部材とを有し、
第２枕面の高さ調整範囲は、第１枕面の高さよりも低い高さ位置から当該第１枕面の高さよりも高い高さ位置までとされていることを特徴とする安眠枕。
【請求項２】
請求項１に記載の安眠枕において、
第２枕面の高さを、第１枕面の高さよりも低い高さ位置、当該第１枕面と同一の高さ位置、および当該第１枕面よりも高い高さ位置の３段階に切換可能であることを特徴とする安眠枕。
【請求項３】
請求項１または２に記載の安眠枕において、
枕本体の上面における横方向の半分の領域が第１枕面であり、
残りの半分の領域が第２枕面であることを特徴とする安眠枕。
【請求項４】
請求項１ないし３のうちのいずれかの項に記載の安眠枕において、
第１枕面および第２枕面には、それぞれ、蕎麦の種子が充填されている布製の筒が横方向に並べられた状態で敷き詰められていることを特徴とする安眠枕。
【請求項５】
請求項１ないし４のうちのいずれかの項に記載の安眠枕において、
第１枕面および第２枕面は、それぞれ、縦方向における中央部分が窪んだ凹状面であることを特徴とする安眠枕。
【発明の詳細な説明】
【技術分野】
【０００１】
本発明は、高さ調整可能な安眠枕に関する。
【背景技術】
【０００２】
従来においては各種の就寝用枕が提案されている。特許文献１には、就寝時の姿勢により頭の高さ位置の変化を考慮して、高さの異なる仰向け就寝時用の第１まくら体と横向き就寝時用の第２まくら体を備えたまくらが提案されている。特許文献２、３には、寝返りしたときに高さが自動的に変更される枕が提案されている。
【特許文献１】特開平９−２１５５７３号公報
【特許文献２】特開２００５−３４２４５７号公報
【特許文献３】特開２００１−３４０１９８号公報
【発明の開示】
【発明が解決しようとする課題】
【０００３】
特許文献１に開示のまくらは２つの高さ部分を備えているものの、それらの高さが固定されているので、使用者の体型に合った高さを備えたまくらを選ぶ必要があり、汎用性に乏しい。また、高い部分と低い部分の位置を変更することができないので、これらの位置を変更するためには、まくらの向きを変える必要がある。さらに、横向きでも同一高さの枕を好む人には適していない。
【０００４】
特許文献２、３に開示のまくらは高さ調整が可能であるが、枕上面が全体として昇降する構造となっている。人によっては、横向きでも低い高さのまくらを使用することを希望する場合もあり、また、就寝姿勢は仰向き、横向きに限定されるものではなく、それらの間の姿勢など多様である。
【０００５】
本発明の課題は、このような点に鑑みて、高さ調整が可能であると共に、高い部分と低い部分の位置も変更可能な安眠枕を提案することにある。
【課題を解決するための手段】
【０００６】
上記の課題を解決するために、本発明の安眠枕は、
枕本体と、
この枕本体の上面に形成した一定高さの第１枕面と、
枕本体の上面に形成した可変高さの第２枕面と、
この第２枕面の高さを変更するために枕本体に内蔵されている手動式高さ調整機構と、
枕本体の側面に取り付けられている高さ調整用の手動操作部材とを有し、
第２枕面の高さ調整範囲は、第１枕面の高さよりも低い高さ位置から当該第１枕面の高さよりも高い高さ位置までとされていることを特徴としている。
【０００７】
ここで、第２枕面の高さを、第１枕面の高さよりも低い高さ位置、当該第１枕面と同一の高さ位置、および当該第１枕面よりも高い高さ位置の３段階に切換可能であることが望ましい。
【０００８】
本発明の安眠枕においては、第１枕面の高さが一定であり、第２枕面の高さは、第１枕面よりも低い高さ位置から高い高さ位置まで調整可能である。したがって、枕上面における高い部分と低い部分の位置を変更することができる。また、仰向け姿勢では低い枕面を使用し、横向き姿勢では高い枕面を使用すればよい。さらに、体型、好みに応じて高低差を変更できる。よって、汎用性の高い安眠枕を実現できる。
【０００９】
ここで、枕本体の上面における横方向の半分の領域を第１枕面とし、残りの半分の領域を第２枕面としておくことが望ましい。
【００１０】
また、第１枕面および第２枕面には、それぞれ、蕎麦の種子が充填されている布製の筒が横方向に並べられた状態で敷き詰めておくことが望ましい。蕎麦の種子を充填した布製の筒を敷き詰めておくことにより、枕面の上面に小さな筒状の枕が多数並んだ状態になり、通気性を確保して蒸れ感を防止できる。また、載せた頭の形状に追従する柔らかさがあるので、頭の安定感も良くなる。
【００１１】
次に、高さが固定されている第１枕面は一般に仰向けで寝る場合などに使用されるので、ここに載せた頭が安定するように、縦方向における中央部分が窪んだ凹状面としておくことが望ましい。高さ調整可能な第２枕面も同様に、縦方向における中央部分が窪んだ凹状面としておくことが望ましい。
【発明の効果】
【００１２】
本発明の安眠枕は、一定高さの第１枕面と高さを変更可能な第２枕面とを備え、第２枕面は第１枕面よりも高い位置および第１枕面よりも低い位置に調整可能となっている。したがって、仰向き姿勢および横向き姿勢に対応可能であり、仰向き用および横向き用の枕面の位置を逆にすることもでき、枕上面全体を同一高さにすることも可能である。よって、本発明によれば、多様な姿勢および多様な好みに対応可能な安眠枕を実現できる。
【発明を実施するための最良の形態】
【００１３】
以下に、図面を参照して、本発明を適用した安眠枕の実施の形態を説明する。
【００１４】
図１は本実施の形態に係る安眠枕を示す斜視図である。安眠枕１は、横長の直方体形状をした枕本体２を備えている。枕本体２の上面における横方向の半分が第１枕面４とされ、反対側の半分が第２枕面５とされている。枕本体２の内部には、第２枕面５の下側部分に、当該第２枕面５の高さ調整機構６が組み込まれている。高さ調整機構６は手動操作式の機構であり、枕本体２の側面からは手動操作レバー７が突出している。
【００１５】
第１枕面４は、横から見た場合に中央部分が窪んだ湾曲面形状をしており、蕎麦の種子を充填した布製の筒８を多数本平行に並べて連結した構造の枕カバー９で覆われている。第２枕面５は平坦な面であり、ここも、蕎麦の種子を充填した布製の筒１０を多数本平行に並べて連結した構造の枕カバー１１で覆われている。
【００１６】
枕本体２は、例えば硬質の発泡プラスチック素材から形成されている。それ以外の素材から形成してもよいことは勿論である。枕本体２における第１枕面４の側の部分の底面には、横方向に延びる通気用の矩形断面の切り欠き溝２ｄが一定の間隔で複数本形成されている。本例では４本の切り欠き溝２ｄが形成されている。また、各切り欠き溝２ｄには横方向に沿って一定の間隔で垂直に延びる通気孔２ｅの下端が連通している。各通気孔２ｅの上端は第１枕面４に露出している。
【００１７】
枕本体２の第２枕面５の側の部分は、第１枕面４よりも一段低い上面部分とされ、ここには矩形の開口２ａが形成されている。この開口２ａには、第２枕面５を規定している昇降台１２が昇降可能に配置されている。昇降台１２は、第２枕面５を規定している矩形の天板部分１２ａと、この天板部分１２ａの四辺を取り囲む状態で形成されている側板部分１２ｂとを備えている。昇降台１２も硬質の発泡プラスチック素材から形成することができ、それ以外の素材から形成することも可能である。昇降台１２には、その天板部分１２ａおよび側板部分１２ｂに一定の間隔で通気孔１２ｃが形成されている。
【００１８】
枕本体２における開口２ａの下側にくり抜かれており、ここに高さ調整機構６が組み込まれている。手動操作レバー７は、「高」「中」「低」の３つの位置に切換可能となっている。図２（ａ）に示すように、「高」位置に切り換えると、第２枕面５は第１枕面４よりも所定量だけ高い位置に位置決めされる。「中」位置に切り換えると、第２枕面５は第１枕面４と同一高さ位置に位置決めされる。「低」位置に切り換えると、第２枕面５は第１枕面４よりも低い高さ位置に位置決めされる。
【００１９】
（枕カバーの構造）
図３は枕カバー９および枕本体２の通気構造を示す斜視図である。枕カバー９は、蕎麦の種子２１を充填した布製の筒８を多数本平行に並べて連結した構造のものである。筒８は直径が１ｃｍ〜２ｃｍ程度の小さなものである。本例では、各筒８が枕本体２の横方向に延びる状態で第１枕面４に敷き詰められている。枕カバー９は、単に、第１枕面４を覆う状態に載せておくこともできるが、両面粘着テープ、あるいは面ファスナーなどによって、着脱可能な状態で第１枕面４に位置ずれしないように取り付けておくことが望ましい。他方の第２枕面５を覆っている枕カバー１１も枕カバー９と同一の構造である。また、枕カバー１１も第２枕面５に位置ずれしないように着脱可能な状態で取り付けておくことが望ましい。
【００２０】
ここで、枕カバー９に充填してある蕎麦の種子は、程よい大きさで、全体として三角錘に近い紡錘形状をしており、鋭角の３本の峰と凸状の３つの曲面とによって規定されている。このため、種子同士が密着することがなく、外皮が堅いので種子が潰れることがないので、種子の間に隙間が常に確保され、通気性が得られる。また、布製の筒８に頭を乗せた場合には、その重さによって、中の種子が移動し、角ばった種子の相互の絡み合いによって応力が分散され、枕面が頭に沿った形状に変形すると共に、程よいクッション性が発揮され、また、程よい強さの接触感が得られる。
【００２１】
先に述べたように、枕本体２における第１枕面４の側の部分には、通気用の切り欠き溝２ｄおよび通気孔２ｅが形成されている。各切り欠き溝２ｄおよび通気孔２ｅによって第１枕面４の通気性が確保されている。また、底に形成されている切り欠き溝２ｄは、滑り止めとしても機能し、安眠枕１がずれないように定位置に保持可能となっている。一方、第２枕面５にも通気孔１２ｃが形成されており、当該通気孔１２ｃによって第２枕面５の通気性が確保されている。
【００２２】
（高さ調整機構）
図４（ａ）は枕本体２に組み込まれている高さ調整機構６を示す説明図である。高さ調整機構６は、第２枕面５を規定している昇降台１２の高さを３段階に切り換えるものである。この高さ調整機構６は、矩形の水平基板６１を備え、この水平基板６１には、回転自在の状態で垂直回転軸６２が垂直に取り付けられている。垂直回転軸６２には手動操作レバー７の後端が固定されており、手動操作レバー７は垂直回転軸６２から水平に延び、その先端部分が枕本体２の側面２ｂから外部に突出している。
【００２３】
垂直回転軸６２には、その直径方向に水平に延びる水平旋回棒６３が固定されている。水平旋回棒６３の両端部には左右の連結棒６４、６５の一端がピボット結合されている。左右の連結棒６４、６５の他端は、それぞれ、左右の水平棒６６、６７にピボット結合されている。左右の水平棒６６、６７の両端は、昇降台１２の側面部分に固定されている。また水平棒６６、６７の両端側の部分は、それぞれ、水平基板６１の四隅に取り付けた旋回支柱６８、６９および７０、７１に取り付けられている。旋回支柱６８、６９は、垂直な位置から内側に倒れる方向に旋回可能な状態で水平基板６１によって支持されている。同様に、旋回支柱７０、７１も、垂直な位置から内側に倒れる方向に旋回可能な状態で水平基板６１によって支持されている。
【００２４】
図４（ｂ）に示すように、手動操作レバー７が貫通している枕本体２の側面２ｂには、水平なスライド溝２ｃと、このスライド溝２ｃの両端および中央から下方に延びる溝２（低）、２（中）および２（高）が形成されている。手動操作レバー７は不図示のばねによって、常に下方に付勢されている。
【００２５】
手動操作レバー７をばね力に逆らって上方に持ち上げ、スライド溝２ｃに沿って溝２（低）から２（中）を経由して２（高）の側にスライドさせると、左右の旋回支柱６８、６９および７０、７１は、最も倒れた位置Ａから位置Ｂを経て、垂直に起立した位置Ｃまで旋回する。昇降台１２は、旋回支柱６８、６９に架け渡した水平棒６６、旋回支柱７０、７１の間に架け渡した水平棒６７によって支持されている。したがって、手動操作レバー７を溝２（低）に位置させると、図２（ｃ）に示すように、第２枕面５は第１枕面４よりも低い位置に位置決めされる。手動操作レバー７を中間の溝２（中）に位置決めすると、図２（ｂ）に示すように、第２枕面５は第１枕面４と同一高さ位置に位置決めされ、溝２（高）に位置決めすると、図２（ａ）に示すように、第２枕面５は第１枕面４よりも高い高さ位置に位置決めされる。
【００２６】
（作用効果）
以上説明したように、本実施の形態に係る安眠枕１では、第２枕面５の高さを、第１枕面４よりも高い位置、同一位置および低い位置に切り換えることができる。したがって、仰向き姿勢および横向き姿勢に対応可能であり、仰向き用および横向き用の枕面の位置を左右逆にすることもでき、枕上面全体を同一高さにすることも可能である。よって、多様な姿勢および多様な好みに対応可能な安眠枕を実現できる。
【００２７】
また、蕎麦の種子を充填した筒を並べた構造の枕カバー９、１１によって枕面４、５が覆われているので、頭を乗せた状態で安定感が良く、通気性も十分に確保でき蒸れ感を軽減できるなどの優れた安眠効果も得られる。
【００２８】
さらに、枕本体２には通気用の切り欠き溝２ｃ、通気孔２ｄおよび通気孔１２ｃが形成されているので、これによっても、通気性を十分に確保でき、蒸れ感を軽減できるなどの優れた安眠効果が得られる。
【００２９】
また、通気用の切り欠き溝２ｃは安眠枕１の滑り止めとしても機能するので、位置ずれのしない安定性の高い安眠枕を実現できる。
【００３０】
具体的に説明すると、安眠枕１で仰向けに寝るときに後頭部の安定感が良く、とても快適である。また、横向きになったときに肩の高さの分を高くすることにより、頭と首肩の安定度が一体となるため、心地良く睡眠ができる。さらに、安眠枕１の第２枕面５をレバー操作によって簡単に昇降でき、高い枕を好む人には大変喜ばれる。また、上面には直径が１ｃｍ〜２ｃｍ程度の布製の筒の中に蕎麦の種子を充填して連結して１枚の枕カバー（布団）にした構成の小さな枕が幾つも並んでいる状態となっている。これにより、通気性と頭の安定性が良く、頭の蒸れ感を軽減でき安眠ができ、快適である。このように、安眠枕１は安定感と高さを選べる便利さと、上面の蕎麦の種子による柔らかさ、安定感および蒸れ防止効果を兼ね備えている。
【００３１】
（その他の実施の形態）
上記の例では、第２枕面５の高さを３段階に調整できるようにしている。第２枕面５の高さを４段階以上、あるいは無段階に調整できるようにしてもよい。また、第２枕面５を第１枕面４よりも高い位置と低い位置の２段階に調整できるようにしてもよい。さらに、高さ調整機構としては各種の構造のものを採用することができる。
【００３２】
一方、第１枕面４（枕カバー９）の硬さと、第２枕面５（枕カバー１１）の硬さを異なるものとしておくことができる。使用者は、その時々の体調などに応じて、硬軟いずれかの枕面を使うことができるので便利である。
【図面の簡単な説明】
【００３３】
【図１】本発明を適用した安眠枕の斜視図である。
【図２】図１の安眠枕の高さの変化を示す説明図である。
【図３】枕カバーの構造を示す斜視図である。
【図４】高さ調整機構を示す説明図、および、手動操作レバーのスライド溝の形状を示す説明図である。
【符号の説明】
【００３４】
１  安眠枕
２  枕本体
２ａ  開口
２ｂ  側面
２ｃ  スライド溝
２ｄ  切り欠き溝
２ｅ  通気孔
２（低）、２（中）、２（高）  溝
４  第１枕面
５  第２枕面
６  高さ調整機構
７  手動操作レバー
８、１０  布製の筒
９、１１  枕カバー
１２  昇降台
１２ａ  天板部分
１２ｂ  側板部分
１２ｃ  通気孔
２１  蕎麦の種子
６１  水平基板
６２  垂直回転軸
６３  水平旋回棒
６４、６５  連結棒
６６、６７  水平棒
６８〜７１  旋回支柱
【図１】
2009125256.tif 000003
【図２】
2009125256.tif 000004
【図３】
2009125256.tif 000005
【図４】
2009125256.tif 000006